(57)【要約】【課題】２以上の映像信号線を１組としてグループ化し同一組の映像信号線を時分割で駆動する方式を採用しつつ消費電力を低減できる表示装置を提供する。【解決手段】映像信号線駆動回路３００を映像信号線Ｌｓに接続するための接続切換回路５０２を液晶パネル５００に設ける。接続切換回路５０２は、映像信号線Ｌｓにそれぞれ対応し一端が映像信号線Ｌｓに接続されたアナログスイッチＳＷｉを含む。映像信号線Ｌｓは、１本おきに選んだ２本の信号線Ｌｓを１組として複数組にグループ化され、複数組の映像信号線は映像信号線駆動回路３００の出力端子ＴＳｊにそれぞれ対応する。同一組の映像信号線Ｌｓに接続されるアナログスイッチの他端は互いに接続され、１つの出力端子ＴＳｊに接続される。切換制御信号ＧＳに基づきアナログスイッチＳＷｉは、各水平走査期間内で各出力端子ＴＳｊを対応する同一組の２本の映像信号線Ｌｓに時分割的に接続する。【選択図】  図５
2004264476.tif 000002
【特許請求の範囲】
【請求項１】
表示すべき画像を形成するための複数の画素形成部と、前記表示すべき画像を示す映像信号を前記複数の画素形成部に伝達するための複数の映像信号線とを有する表示装置であって、
２以上の映像信号線を１組として前記複数の映像信号線をグループ化することにより得られる複数組の映像信号線群にそれぞれ対応する複数の出力端子を有し、各出力端子に対応する映像信号線群によって伝達されるべき映像信号を時分割で当該出力端子から出力する映像信号線駆動回路と、
前記映像信号線駆動回路の各出力端子を対応する映像信号線群内のいずれかの映像信号線に接続すると共に、各出力端子が接続される映像信号線を対応する映像信号線群内で前記時分割に応じて切り換える接続切換回路と
を備え、
前記複数組の映像信号線群のそれぞれは、前記複数の映像信号線から奇数本おきに選ばれた映像信号線からなることを特徴とする表示装置。
【請求項２】
前記複数の映像信号線と交差する複数の走査信号線と、
前記複数の走査信号線を選択的に駆動する走査信号線駆動回路と
を更に備え、
前記複数の画素形成部は、前記複数の映像信号線と前記複数の走査信号線との交差点にそれぞれ対応してマトリクス状に配置されており、
各画素形成部は、
対応する交差点を通過する走査信号線によってオンおよびオフされるスイッチング素子と、
対応する交差点を通過する映像信号線に前記スイッチング素子を介して接続される画素電極と、
前記複数の画素形成部に共通的に設けられ、前記画素電極との間に所定容量が形成されるように配置された対向電極とを含み、
前記接続切換回路は、前記走査信号線駆動回路によって１つの走査信号線が選択されてから次に他の走査信号線が選択されるまでの間に、前記映像信号線駆動回路の各出力端子を対応する映像信号線群内の映像信号線に時分割的に接続することを特徴とする、請求項１に記載の表示装置。
【請求項３】
前記接続切換回路は、前記映像信号線駆動回路の各出力端子に接続される映像信号線の切り換え順序を、前記走査信号線駆動回路によって選択される走査信号線の切り換えに応じて変更することを特徴とする、請求項２に記載の表示装置。
【請求項４】
前記映像信号線駆動回路は、前記走査信号線駆動回路によって選択される走査信号線が２回以上の所定回数だけ切り換わる毎に、各出力端子から出力される映像信号の電圧の極性を前記対向電極を基準として反転させることを特徴とする、請求項２または３に記載の表示装置。
【請求項５】
表示すべき画像を形成するための複数の画素形成部と、前記表示すべき画像を示す映像信号を前記複数の画素形成部に伝達するための複数の映像信号線とを有する表示装置の駆動方法であって、
２以上の映像信号線を１組として前記複数の映像信号線をグループ化することにより得られる複数組の映像信号線群にそれぞれ対応する複数の出力端子を有する映像信号線駆動回路において、各出力端子に対応する映像信号線群によって伝達されるべき映像信号を時分割で各出力端子から出力するステップと、
前記映像信号線駆動回路の各出力端子を対応する映像信号線群内のいずれかの映像信号線に接続すると共に、各出力端子が接続される映像信号線を対応する映像信号線群内で前記時分割に応じて切り換えるステップと
を備え、
前記複数組の映像信号線群のそれぞれは、前記複数の映像信号線から奇数本おきに選ばれた映像信号線からなることを特徴とする駆動方法。
【発明の詳細な説明】
【０００１】
【発明の属する技術分野】
本発明は、例えばアクティブマトリクス型液晶表示装置のように交流化駆動される表示装置に関し、更に詳しくは、表示すべき画像を形成するための複数の画素形成部に映像信号を伝達するための多数の映像信号線が複数本（例えば２本）を１組として複数組の映像信号線群にグループ化され、グループ化された映像信号線群毎に駆動回路から時分割で映像信号が出力される表示装置に関する。
【０００２】
【従来の技術】
近年、表示装置における表示画像の高精細化の進展が顕著である。このため、例えばアクティブマトリクス型液晶表示装置のように、表示すべき画像の解像度に応じた数の信号線（列電極または行電極）を必要とする表示装置では、表示画像の高精細化に伴って単位長さ当たりの信号線数（電極数）が膨大となる。その結果、それらの信号線に信号を印加する駆動回路の実装において、駆動回路の出力端子と表示パネルの信号線との接続部のピッチ（以下「接続ピッチ」という）が極めて小さなものとなる。このような表示画像の高精細化に伴う接続ピッチの狭小化の傾向は、カラー液晶表示装置のようにＲ（赤）、Ｇ（緑）、Ｂ（青）の隣接３画素を表示単位とするカラー表示装置の場合には、映像信号線（列電極）とその駆動回路（「列電極駆動回路」、「データ線駆動回路」または「映像信号線駆動回路」と呼ばれる）との接続部において特に顕著となる。
【０００３】
このような問題を解決するために、２本以上の映像信号線（例えばＲ，Ｇ，Ｂの隣接３画素に対応する３本の映像信号線）を１組として映像信号線をグループ化し、各組を構成する複数の映像信号線に映像信号線駆動回路の１つの出力端子を割り当て、画像表示における１水平走査期間内において各組内の映像信号線に時分割的に映像信号を印加するように構成された液晶表示装置が従来より提案されている（例えば特開平６−１３８８５１号公報参照）。
【０００４】
図２（ａ）は、このような方式（以下「映像信号線時分割駆動方式」という）のアクティブマトリクス型液晶表示装置における映像信号線とその駆動回路（以下「映像信号線駆動回路」という）との接続部の構成を模式的に示している。この図に示した例では、映像信号線Ｌｓが２本を１組としてグループ化されており、各組を構成する映像信号線群に対して映像信号線駆動回路３００の出力端子ＴＳ１，ＴＳ２，ＴＳ３，…が１つずつ対応づけられている。そして、映像信号線駆動回路３００の各出力端子ＴＳ１，ＴＳ２，ＴＳ３，…に対応するグループ化された２本の映像信号線との間には、切換スイッチが設けられている。各切換スイッチは、映像信号線Ｌｓ毎に設けられ一端が映像信号線Ｌｓに接続されたアナログスイッチＳＷ１，ＳＷ２，ＳＷ３，…のうち隣接する２個のアナログスイッチＳＷｉ，ＳＷ（ｉ＋１）から構成される（ｉ＝１，３，４，…）。各切換スイッチを構成する２個のアナログスイッチＳＷｉ，ＳＷ（ｉ＋１）の他端は互いに接続されて、その切換スイッチに対応する映像信号線駆動回路３００の出力端子ＴＳｊに接続されている（ｊ＝１，２，３，…）。これらの切換スイッチは、例えば、この表示装置における液晶パネル基板に形成される薄膜トランジスタ（ＴＦＴ：Ｔｈｉｎ  Ｆｉｌｍ  Ｔｒａｎｓｉｓｔｏｒ）によるアナログスイッチによって実現される。
【０００５】
図４（ａ）〜（ｄ）は、この映像信号線時分割駆動方式の液晶表示装置における走査信号Ｇ１，Ｇ２，Ｇ３，…および各切換スイッチの制御信号（以下「切換制御信号」という）ＧＳを示すタイミングチャートである。ここで、走査信号Ｇｋがハイレベル（Ｈレベル）のときにはｋ番目の走査信号線が選択され、走査信号Ｇｋがローレベル（Ｌレベル）のときにはｋ番目の走査信号線が非選択の状態であるものとする（ｋ＝１，２，３，…）。また、各切換スイッチは、切換制御信号ＧＳがＨレベルのときには、映像信号線駆動回路３００の各出力端子ＴＳｊ（ｊ＝１，２，３，…）はそれに対応する２本の映像信号線のうち左側の映像信号線Ｌｓに接続され、切換制御信号ＧＳがＬレベルのときには、映像信号線駆動回路３００の各出力端子ＴＳｊはそれに対応する２本の映像信号線のうち右側の映像信号線に接続されるものとする。図４（ｄ）に示されているように、この液晶表示装置では、１水平走査期間すなわち１本の走査信号線が選択されている期間内において、各出力端子ＴＳｊが接続される映像信号線が切り換わり、各組を構成する２本の映像信号線のうち、各水平走査期間の前半では左側の映像信号線に、各水平走査期間の後半では右側の映像信号線に、映像信号線駆動回路から映像信号がそれぞれ印加される。これにより、各映像信号線Ｌｓは、その映像信号線Ｌｓに映像信号線駆動回路３００の出力端子ＴＳｊが接続されている間に、その出力端子ＴＳｊから出力される映像信号の電圧に充電され、その映像信号線と選択されている走査信号線との交差点に対応する画素形成部Ｐｘにその電圧の値が画素値として書き込まれる。
【０００６】
上記のような映像信号線時分割駆動方式の液晶表示装置では、各組を構成する映像信号線の本数すなわち切換スイッチによる時分割数に応じて、各映像信号線への充電時間が短くなり、上記時分割数をｍとすれば、各映像信号線の充電時間は映像信号線時分割駆動方式でない通常の液晶表示装置の場合の１／ｍとなる（図２に示した例では１／２となる）。しかし、上記時分割数をｍとする切換スイッチを液晶パネル基板に形成することにより、映像信号線駆動回路の出力端子と映像信号線との接続ピッチを通常の液晶表示装置の場合のｍ倍にすることができる。また、このような構成により、１つの液晶パネルの駆動に複数の集積回路チップ（ＩＣチップ）からなる映像信号線駆動回路が使用される場合には、そのチップの個数を減らすことができる。
【０００７】
【特許文献１】
特開平６−１３８８５１号公報
【特許文献２】
特開平６−３０８４５４号公報
【特許文献３】
特開平４−３２２２１６号公報
【０００８】
【発明が解決しようとする課題】
上記のように表示パネル基板に切換スイッチを設けて映像信号線を時分割的に駆動すること即ち映像信号線時分割駆動方式による利点は広く知られており、このための映像信号線のグループ化は、例えばＲ（赤）、Ｇ（緑）、Ｂ（青）の隣接３画素に映像信号を伝達する３本の映像信号線のように隣接する複数の映像信号線を１組としてグループ化されている。ところで、一般に液晶表示装置では、液晶の劣化を抑えると共に表示品位を維持するために交流化駆動が行われており、典型的な交流化駆動方式として、画素を形成する液晶層への印加電圧の正負極性を１走査信号線毎かつ１映像信号線毎に反転させる（１フレーム毎にも反転させる）いわゆるドット反転駆動方式がある。このドット反転駆動方式の液晶表示装置において、上記従来の映像信号線時分割駆動方式を採用すると、映像信号線駆動回路の出力端子数は削減されるが、時分割数（１組の映像信号線の数）に応じて映像信号線駆動回路の１出力当たりの消費電力が増大する。すなわち、時分割数がｍである映像信号線時分割駆動方式を採用した場合、映像信号線駆動回路の１出力当たりの消費電力Ｐは、単純なモデルでは次式で表すことができる。
Ｐ∝ｍ・ｆ・ｃ・Ｖ２  …（１）
ここで、ｆは周波数を、ｃは映像信号線駆動回路によって駆動される負荷容量を、Ｖは駆動電圧を、それぞれ示している。
【０００９】
そこで本発明では、上記のような映像信号線時分割駆動方式を採用しつつ消費電力の低減を図ることができる表示装置およびその駆動方法を提供することを目的とする。
【００１０】
【課題を解決するための手段】
第１の発明は、表示すべき画像を形成するための複数の画素形成部と、前記表示すべき画像を示す映像信号を前記複数の画素形成部に伝達するための複数の映像信号線とを有する表示装置であって、
２以上の映像信号線を１組として前記複数の映像信号線をグループ化することにより得られる複数組の映像信号線群にそれぞれ対応する複数の出力端子を有し、各出力端子に対応する映像信号線群によって伝達されるべき映像信号を時分割で当該出力端子から出力する映像信号線駆動回路と、
前記映像信号線駆動回路の各出力端子を対応する映像信号線群内のいずれかの映像信号線に接続すると共に、各出力端子が接続される映像信号線を対応する映像信号線群内で前記時分割に応じて切り換える接続切換回路と
を備え、
前記複数組の映像信号線群のそれぞれは、前記複数の映像信号線から奇数本おきに選ばれた映像信号線からなることを特徴とする。
【００１１】
このような第１の発明によれば、２本以上の映像信号線を時分割で映像信号線駆動回路の出力端子に接続すべく、奇数本おきに選ばれた映像信号線が１組としてグループ化されるので、１映像信号線毎に駆動信号の電圧極性が反転される交流駆動が行われる場合であっても、同一組における映像信号線の電圧極性は同一である。このため、１映像信号線毎に駆動信号の電圧が反転される交流駆動が行われる場合において、映像信号線駆動回路から出力すべき映像信号の電圧極性の切替周期を短くすることなく、映像信号線を時分割で駆動することができる。
【００１２】
第２の発明は、第１の発明において、
前記複数の映像信号線と交差する複数の走査信号線と、
前記複数の走査信号線を選択的に駆動する走査信号線駆動回路と
を更に備え、
前記複数の画素形成部は、前記複数の映像信号線と前記複数の走査信号線との交差点にそれぞれ対応してマトリクス状に配置されており、
各画素形成部は、
対応する交差点を通過する走査信号線によってオンおよびオフされるスイッチング素子と、
対応する交差点を通過する映像信号線に前記スイッチング素子を介して接続される画素電極と、
前記複数の画素形成部に共通的に設けられ、前記画素電極との間に所定容量が形成されるように配置された対向電極とを含み、
前記接続切換回路は、前記走査信号線駆動回路によって１つの走査信号線が選択されてから次に他の走査信号線が選択されるまでの間に、前記映像信号線駆動回路の各出力端子を対応する映像信号線群内の映像信号線に時分割的に接続することを特徴とする。
【００１３】
第２の発明によれば、１映像信号線毎に駆動信号の電圧が反転される交流駆動が行われる液晶表示装置において、映像信号線駆動回路から出力すべき映像信号の電圧極性の切替周期を短くすることなく、映像信号線を時分割で駆動することができる。このため、消費電力を増大させることなく、映像信号線を時分割で駆動することができ、映像信号線を時分割で駆動する従来技術に比べ、消費電力を低減することが可能となる。
【００１４】
第３の発明は、第２の発明において、
前記接続切換回路は、前記映像信号線駆動回路の各出力端子に接続される映像信号線の切り換え順序を、前記走査信号線駆動回路によって選択される走査信号線の切り換えに応じて変更することを特徴とする。
【００１５】
第３の発明によれば、映像信号線駆動回路の各出力端子に接続される映像信号線の切り換え順序が、走査信号線駆動回路によって選択される走査信号線の切り換えに応じて変更されるので、表示画像における輝度ムラを抑制することができる。また、１映像信号線毎に駆動信号の電圧が反転される交流駆動が行われる場合であっても、奇数本おきに選ばれた映像信号線が１組としてグループ化されるので、同一組における映像信号線の電圧極性は同一であり、その結果、各出力端子に接続される映像信号線の切り換え順序が変更されても、映像信号線駆動回路から出力すべき映像信号の電圧極性の切替周期が短くなることはない。
【００１６】
第４の発明は、第２または第３の発明において、
前記映像信号線駆動回路は、
前記走査信号線駆動回路によって選択される走査信号線が２回以上の所定回数だけ切り換わる毎に、各出力端子から出力される映像信号の電圧の極性を前記対向電極を基準として反転させることを特徴とする。
【００１７】
第４の発明によれば、１映像信号線毎に駆動信号の電圧が反転される交流駆動が行われる場合であっても、奇数本おきに選ばれた映像信号線が１組としてグループ化されるので、同一組における映像信号線の電圧極性は同一であり、しかも、２水平走査期間（１本の走査信号線の選択期間の２倍の期間）以上は当該電圧極性は変化しない。これにより、１映像信号線毎に駆動信号の電圧が反転される交流駆動が行われる場合において、映像信号線を時分割で駆動する従来技術に比べ、映像信号線の駆動のための消費電力を大幅に低減することができる。
【００１８】
第５の発明は、表示すべき画像を形成するための複数の画素形成部と、前記表示すべき画像を示す映像信号を前記複数の画素形成部に伝達するための複数の映像信号線とを有する表示装置の駆動方法であって、
２以上の映像信号線を１組として前記複数の映像信号線をグループ化することにより得られる複数組の映像信号線群にそれぞれ対応する複数の出力端子を有する映像信号線駆動回路において、各出力端子に対応する映像信号線群によって伝達されるべき映像信号を時分割で各出力端子から出力するステップと、
前記映像信号線駆動回路の各出力端子を対応する映像信号線群内のいずれかの映像信号線に接続すると共に、各出力端子が接続される映像信号線を対応する映像信号線群内で前記時分割に応じて切り換えるステップと
を備え、
前記複数組の映像信号線群のそれぞれは、前記複数の映像信号線から奇数本おきに選ばれた映像信号線からなることを特徴とする。
【００１９】
【発明の実施の形態】
以下、本発明の実施形態について添付図面を参照して説明する。
＜１．１  全体の構成および動作＞
図１（ａ）は、本発明の一実施形態に係る液晶表示装置の構成を示すブロック図である。この液晶表示装置は、表示制御回路２００と、映像信号線駆動回路（「列電極駆動回路」とも呼ばれる）３００と、走査信号線駆動回路（「行電極駆動回路」とも呼ばれる）４００と、アクティブマトリクス型の液晶パネル５００とを備えている。
【００２０】
この液晶表示装置における表示部としての液晶パネル５００は、外部のコンピュータにおけるＣＰＵ等から受け取る画像データＤｖの表す画像における水平走査線にそれぞれが対応する複数本の走査信号線（行電極）と、それら複数本の走査信号線のそれぞれと交差する複数本の映像信号線（列電極）と、それら複数本の走査信号線と複数本の映像信号線との交差点にそれぞれ対応して設けられた複数の画素形成部とを含む。各画素形成部の構成は、基本的には従来のアクティブマトリクス型液晶パネルにおける構成と同様である（詳細は後述）。
【００２１】
本実施形態では、液晶パネル５００に表示すべき画像を表す（狭義の）画像データおよび表示動作のタイミング等を決めるデータ（例えば表示用クロックの周波数を示すデータ）（以下「表示制御データ」という）は、外部のコンピュータにおけるＣＰＵ等から表示制御回路２００に送られる（以下、外部から送られるこれらのデータＤｖを「広義の画像データ」という）。すなわち、外部のＣＰＵ等は、広義の画像データＤｖを構成する（狭義の）画像データおよび表示制御データを、アドレス信号ＡＤｗを表示制御回路２００に供給して、表示制御回路２００内の後述の表示メモリおよびレジスタにそれぞれ書き込む。
【００２２】
表示制御回路２００は、レジスタに書き込まれた表示制御データに基づき、表示用のクロック信号ＣＫや、水平同期信号ＨＳＹ、垂直同期信号ＶＳＹ等を生成する。また、表示制御回路２００は、外部のＣＰＵ等によって表示メモリに書き込まれた（狭義の）画像データを表示メモリから読み出して、デジタル画像信号Ｄａとして出力する。さらに、表示制御回路２００は、映像信号線の時分割駆動のための切換制御信号ＧＳおよびその論理反転信号（以下「切換制御反転信号」というが、ＧＳと区別する必要がない場合にはこれも単に「切換制御信号」という）ＧＳｂをも生成し、これらも出力する。このようにして、表示制御回路２００によって生成される信号のうち、クロック信号ＣＫは映像信号線駆動回路３００に、水平同期信号ＨＳＹおよび垂直同期信号ＶＳＹは映像信号線駆動回路３００および走査信号線駆動回路４００に、デジタル画像信号Ｄａは映像信号線駆動回路３００に、切換制御信号ＧＳ，ＧＳｂは映像信号線駆動回路３００および液晶パネル５００内の後述の接続切換回路に、それぞれ供給される。なお、表示制御回路２００から映像信号線駆動回路３００にデジタル画像信号Ｄａを供給するための信号線としては、表示画像の階調数に応じた数の信号線が配設される。
【００２３】
映像信号線駆動回路３００には、上記のようにして、液晶パネル５００に表示すべき画像を表すデータが画素単位でシリアルにデジタル画像信号Ｄａとして供給されると共に、タイミングを示す信号としてクロック信号ＣＫ、水平同期信号ＨＳＹ、垂直同期信号ＶＳＹ、および切換制御信号ＧＳが供給される。映像信号線駆動回路３００は、これらのデジタル画像信号Ｄａとクロック信号ＣＫと水平同期信号ＨＳＹと垂直同期信号ＶＳＹと切換制御信号ＧＳとに基づき、液晶パネル５００を駆動するための映像信号（以下「駆動用映像信号」ともいう）を生成し、これを液晶パネル５００の各映像信号線に印加する。
【００２４】
走査信号線駆動回路４００は、水平同期信号ＨＳＹおよび垂直同期信号ＶＳＹに基づき、液晶パネル５００における走査信号線を１水平走査期間ずつ順次に選択するために各走査信号線に印加すべき走査信号Ｇ１，Ｇ２、Ｇ３，…を生成し、全走査信号線のそれぞれを順に選択するためのアクティブな走査信号の各走査信号線への印加を１垂直走査期間を周期として繰り返す。
【００２５】
液晶パネル５００では、上記のようにして映像信号線に、映像信号線駆動回路３００によってデジタル画像信号Ｄａに基づく駆動用の映像信号Ｓ１，Ｓ２，Ｓ３，…が印加され、走査信号線には、走査信号線駆動回路４００によって走査信号Ｇ１，Ｇ２，Ｇ３，…が印加される。これにより液晶パネル５００は、外部のＣＰＵ等から受け取った画像データＤｖの表す画像を表示する。
【００２６】
＜１．２  表示制御回路＞
図１（ｂ）は、上記の液晶表示装置における表示制御回路２００の構成を示すブロック図である。この表示制御回路２００は、入力制御回路２０と表示メモリ２１とレジスタ２２とタイミング発生回路２３とメモリ制御回路２４と信号線切換制御回路２５とを備えている。
【００２７】
この表示制御回路２００が外部のＣＰＵ等から受け取る広義の画像データＤｖを示す信号（以下、この信号も符号“Ｄｖ”で表すものとする）およびアドレス信号ＡＤｗは、入力制御回路２０に入力される。入力制御回路２０は、アドレス信号ＡＤｗに基づき、広義の画像データＤｖを、画像データＤＡと表示制御データＤｃとに振り分ける。そして、画像データＤＡを表す信号（以下、これらの信号も符号“ＤＡ”で表すものとする）をアドレス信号ＡＤｗに基づくアドレス信号ＡＤと共に表示メモリ２１に供給することで画像データＤＡを表示メモリ２１に書き込むと共に、表示制御データＤｃをレジスタ２２に書き込む。表示制御データＤｃは、クロック信号ＣＫの周波数や画像データＤｖの表す画像を表示するための水平走査期間および垂直走査期間を指定するタイミング情報を含んでいる。
【００２８】
タイミング発生回路（以下「ＴＧ」と略記する）２３は、レジスタ２２の保持する上記表示制御データに基づき、クロック信号ＣＫ、水平同期信号ＨＳＹおよび垂直同期信号ＶＳＹを生成する。また、ＴＧ２３は、表示メモリ２１およびメモリ制御回路２４をクロック信号ＣＫに同期させて動作させるためのタイミング信号を生成する。
【００２９】
メモリ制御回路２４は、外部から入力されて入力制御回路２０を介して表示メモリ２１に格納された画像データＤＡのうち、液晶パネル５００に表示すべき画像を表すデータを読み出すためのアドレス信号ＡＤｒと、表示メモリ２１の動作を制御するための信号とを生成する。これらのアドレス信号ＡＤｒおよび制御信号は表示メモリ２１に与えられ、これにより、液晶パネル５００に表示すべき画像を表すデータがデジタル画像信号Ｄａとして表示メモリ２１から読み出され、表示制御回路２００から出力される。このデジタル画像信号Ｄａは、既述のように映像信号線駆動回路３００に供給される。
【００３０】
信号線切換制御回路２５は、水平同期信号ＨＳＹおよびクロック信号ＣＫに基づき、映像信号線の時分割駆動のための切換制御信号ＧＳ，ＧＳｂを生成する。この切換制御信号ＧＳ，ＧＳｂは、後述のように映像信号線を時分割的に駆動するために、映像信号線駆動回路３００から出力される映像信号を印加すべき映像信号線を１水平走査期間内で切り換えるための制御信号である。本実施形態では、図６（ｄ）に示すように、各水平走査期間（走査信号がアクティブとなる期間）の前半でＨレベルとなり後半でＬレベルとなる信号を、切換制御信号ＧＳとして生成し、その論理反転信号を切換制御反転信号ＧＳｂとして生成する。
【００３１】
＜１．３  基本構成の液晶パネルとその駆動方法＞
＜１．３．１  液晶パネルの構成＞
図２（ａ）は、本実施形態における液晶パネル５００の基本となる従来構成（以下「基本従来構成」という）を示す模式図であり、図２（ｂ）は、この液晶パネルの一部（４画素に相当する部分）５１０の等価回路図であり、図２（ｃ）は、液晶パネルにおける後述の接続切換回路５０１を構成する切換スイッチを示す等価回路図である。
【００３２】
この基本従来構成の液晶パネルは、アナログスイッチＳＷ１，ＳＷ２，ＳＷ３，…を含む接続切換回路５０１を介して映像信号線駆動回路３００に接続される複数の映像信号線Ｌｓと、走査信号線駆動回路４００に接続される複数の走査信号線Ｌｇとを備え、当該複数の映像信号線Ｌｓと当該複数の走査信号線Ｌｇとは、各映像信号線Ｌｓと各走査信号線Ｌｇとが交差するように格子状に配設されている。そして既述のように、当該複数の映像信号線Ｌｓと当該複数の走査信号線Ｌｇとの交差点に対応して複数の画素形成部Ｐｘがそれぞれ設けられている。各画素形成部Ｐｘは、図２（ｂ）に示すように、対応する交差点を通過する映像信号線Ｌｓにソース端子が接続されたＴＦＴ１０と、そのＴＦＴ１０のドレイン端子に接続された画素電極Ｅｐと、上記複数の画素形成部Ｐｘに共通的に設けられた対向電極Ｅｃと、上記複数の画素形成部Ｐｘに共通的に設けられ画素電極Ｅｐと対向電極Ｅｃとの間に挟持された液晶層とからなる。そして、画素電極Ｅｐと対向電極Ｅｃとそれらの間に挟持された液晶層とにより画素容量Ｃｐが形成さる。このような画素形成部Ｐｘの構成は、以下に述べる本発明の各実施形態およびその変形例においても同様である。
【００３３】
上記のような画素形成部Ｐｘは、マトリクス状に配置されて画素形成マトリクスを構成する。ところで、画素形成部Ｐｘの主要部である画素電極Ｅｐは、液晶パネルに表示される画像の画素と１対１に対応し同一視できる。そこで、以下では、説明の便宜上、画素形成部Ｐｘと画素を同一視するものとし、「画素形成マトリクス」を「画素マトリクス」ともいう。
【００３４】
図２（ａ）において、各画素形成部Ｐｘに付されている“＋”は、当該画素形成部Ｐｘを構成する画素液晶に（もしくは対向電極Ｅｃを基準として画素電極Ｅｐに）正の電圧が印加されることを意味し、“−”は、当該画素形成部Ｐｘを構成する画素液晶に（もしくは対向電極Ｅｃを基準として画素電極Ｅｐに）負の電圧が印加されることを意味し、これら各画素形成部Ｐｘに付された“＋”と“−”により、画素マトリクスにおける極性パターンが示される。このような極性パターンの表現方法は、以下に述べる本発明の各実施形態およびその変形例においても同様である。なお図２（ａ）は、画素液晶への印加電圧の正負極性を１走査信号線毎かつ１映像信号線毎に反転させる（１フレーム毎にも反転させる）駆動方式であるドット反転駆動方式が採用された場合の極性パターンを示している。
【００３５】
この液晶パネルには、上記のように、各映像信号線Ｌｓを映像信号線駆動回路３００に接続するための部分として、液晶パネル上の映像信号線Ｌｓにそれぞれ対応するアナログスイッチＳＷ１，ＳＷ２，ＳＷ３，…を含む接続切換回路５０１が形成されており（図２（ａ））、これらのアナログスイッチＳＷ１，ＳＷ２，ＳＷ３，…は、隣接する２個を１組として複数組（映像信号線Ｌｓの本数の１／２の数）のアナログスイッチ群にグループ化されている。そして、各アナログスイッチＳＷｉ（ｉ＝１，２，３，…）の一端は、そのアナログスイッチＳＷｉに対応する映像信号線Ｌｓに接続され、他端は、そのアナログスイッチＳＷｉと同一組に属するアナログスイッチの他端と互いに接続されると共に、映像信号線駆動回路３００における１つの出力端子ＴＳｊ（ｊ＝１，２，３，…）に接続されている。このようにして、液晶パネルにおける映像信号線Ｌｓは２本を１組として複数組の映像信号線群にグループ化され、各映像信号線群（同一組となった２本の映像信号線Ｌｓ）は、同一組となった２個のアナログスイッチを介して映像信号線駆動回路３００における１つの出力端子ＴＳｊに接続される。このようにして、映像信号線駆動回路３００の出力端子ＴＳｊは、映像信号線群と１対１に対応付けられており、同一組となった２個のアナログスイッチを介して同一組の映像信号線群（２本の映像信号線Ｌｓ）に接続される。
【００３６】
ここで、各アナログスイッチＳＷｉは、例えば液晶パネル基板に形成された薄膜トランジスタ（ＴＦＴ）により実現され、図２（ｃ）に示すように、同一組となった２個のアナログスイッチＳＷ（２ｊ−１），ＳＷ２ｊは、切換制御信号ＧＳ（およびその論理反転信号ＧＳｂ）に応じて相反的にオン・オフするように構成されている（ｊ＝１，２，３，…）。したがって、各組の２個のアナログスイッチＳＷ（２ｊ−１），ＳＷ２ｊは、切換スイッチを構成し、映像信号線駆動回路３００における各出力端子ＴＳｊをその出力端子に対応する映像信号線群内の２本の映像信号線に時分割的に接続する。
【００３７】
＜１．３．２  駆動方法＞
次に、図３および図４を参照しつつ、上記基本従来構成の液晶パネルを備えた液晶表示装置においてドット反転駆動方式を採用した場合の駆動方法を説明する。なお以下では、２走査信号線毎に極性が反転する後述の「２ラインドット反転駆動方式」と区別するために、図３に示すように１走査信号線毎に極性が反転するドット反転駆動方式を「真正ドット反転駆動方式」または「１ラインドット反転駆動方式」と呼ぶものとする。
【００３８】
図３は、基本従来構成の液晶パネルを備える液晶表示装置において真正ドット反転駆動方式を採用した場合の極性パターンを示す構成図（図２（ａ）に相当する図）であり、各画素形成部Ｐｘに付された“＋”および“−”の符号は、既述のように電圧極性を示しており、その正負符号の下に記された括弧書きの記号は、それが記された画素形成部Ｐｘに書き込まれるべき画素値を示している（具体的には、画素マトリクスにおける第ｉ行第ｊ列の画素形成部に書き込むべき画素値を“ｄｉｊ”で表している）。液晶パネルにおける極性パターンや書き込まれるべき画素値についてのこのような表記方法は、以下で言及する図においても同様である。
【００３９】
図４は、基本従来構成の液晶パネルを備える液晶表示装置において真正ドット反転駆動方式を採用した場合の駆動方法を説明するためのタイミングチャートである。図４（ａ）〜（ｃ）に示すように、液晶パネルにおける走査信号線Ｌｇには、１水平走査期間（１走査線選択期間）ずつ順次Ｈレベルとなる走査信号Ｇ１，Ｇ２，Ｇ３，…がそれぞれ印加される。このような走査信号Ｇ１，Ｇ２，Ｇ３，…により、各走査信号線Ｌｇは、Ｈレベルが印加されると選択状態（アクティブ）となり、その選択状態の走査信号線Ｌｇに接続される画素形成部ＰｘにおけるＴＦＴ１０はオン状態となり、一方、Ｌレベルが印加されると非選択状態（非アクティブ）となり、その非選択状態の走査信号線Ｌｇに接続される画素形成部ＰｘにおけるＴＦＴ１０はオフ状態となる。図４（ｄ）に示すように、切換制御信号ＧＳは、各水平走査期間（各走査信号Ｇｋ（ｋ＝１，２，３，…）がＨレベルとなる期間）の前半でＨレベルとなり、後半でＬレベルとなる。ここで、接続切換回路５０１における各アナログスイッチのうち奇数番目の映像信号線Ｌｓに接続されるアナログスイッチＳＷ（２ｊ−１）は、切換制御信号ＧＳがＨレベルのときオンし、切換制御信号ＧＳがＬレベルのときオフする。一方、偶数番目の映像信号線Ｌｓに接続されるアナログスイッチＳＷ（２ｊ）は、切換制御信号ＧＳがＨレベル（ＧＳｂがＬレベル）のときオフし、切換制御信号ＧＳがＬレベル（ＧＳｂがＨレベル）のときオンする。したがって、映像信号線駆動回路３００の各出力端子ＴＳｊは、各水平走査期間の前半では奇数番目（２ｊ−１番目）の映像信号線Ｌｓに接続され、各水平走査期間の後半では偶数番目（２ｊ番目）の映像信号線Ｌｓに接続される。
【００４０】
よって、例えば映像信号線駆動回路３００における出力端子ＴＳ１から出力すべき映像信号Ｓ１は、図４（ｅ）に示すような信号となり、出力端子ＴＳ２から出力すべき映像信号Ｓ２は、図４（ｆ）に示すような信号となる。ここで、図４（ｅ）（ｆ）におけるタイミングチャートはそれぞれ上下２段から構成されており、上段はその映像信号Ｓ１，Ｓ２の電圧の正負極性を示しており、下段はその映像信号Ｓ１，Ｓ２の有する画素値を示している（映像信号線のタイミングチャートについてのこのような表記方法は、以下で言及する他の図においても同様である）。このような映像信号を出力するために映像信号線駆動回路３００は、まず、画素マトリクスにおける奇数番目の画素列の画素形成部Ｐｘのうち走査信号ＧｋによってＴＦＴ１０がオンされる画素形成部Ｐｘに書き込むべき画素値（例えばＧ１がＨレベルのときは画素値ｄ１１，ｄ１３，ｄ１５，…）を表示制御回路２００から順次入力して、水平走査期間の前半においてそれらの画素値に相当する映像信号Ｓｊを出力端子ＴＳｊから出力する。次に、画素マトリクスにおける偶数番目の画素列の画素形成部Ｐｘのうち走査信号ＧｋによってＴＦＴ１０がオンされる画素形成部Ｐｘに書き込むべき画素値（例えばＧ１がＨレベルのときは画素値ｄ１２，ｄ１４，ｄ１６，…）を表示制御回路２００から順次入力して、水平走査期間の後半においてそれらの画素値に相当する映像信号Ｓｊを出力端子ＴＳｊから出力する。そして映像信号線駆動回路３００は、映像信号Ｓ１，Ｓ２，Ｓ３，…の電圧極性が図３に示すような極性パターンの真正ドット反転駆動に対応するような電圧極性となるように上記のような出力を繰り返し行う。このようにして液晶表示装置の駆動が行われると、図４（ｅ）（ｆ）からわかるように、各映像信号線Ｌｓを介して各画素形成部Ｐｘに真正ドット反転駆動に対応した画素値を書き込むための映像信号Ｓ１，Ｓ２，Ｓ３，…の電圧極性は、ほぼ１水平期間毎に切り替わることになる。
【００４１】
＜１．４  実施形態の液晶パネルとその駆動方法＞
＜１．４．１  液晶パネルの構成＞
図５は、本実施形態における液晶パネル５００の構成および真正ドット反転駆動方式を採用した場合の極性パターンを示す模式図である。この液晶パネル５００の構成は、接続切換回路の構成を除き基本従来構成と同様であるので、同一または対応する部分に同一の参照符号を付して詳しい説明を省略する。
【００４２】
この液晶パネル５００における接続切換回路５０２は、図２（ａ）および図３に示した基本従来構成と同様、液晶パネル５００上の映像信号線Ｌｓにそれぞれ対応するアナログスイッチＳＷ１，ＳＷ２，ＳＷ３，…を含み、各アナログスイッチＳＷｉ（ｉ＝１，２，３，…）の一端は、対応する映像信号線Ｌｓに接続されている。また、これらのアナログスイッチＳＷｉは、２個を１組として複数組（映像信号線Ｌｓの本数の１／２の数）のアナログスイッチ群にグループ化されている。しかし本実施形態では、図５に示すように、接続切換回路５０２に配置されたアナログスイッチの中から１個おきに選ばれた２個のアナログスイッチＳＷｉ，ＳＷ（ｉ＋２）が同一組となるようにグループ化されており（ｉ＝１，２，５，６，…）、この点で本実施形態は上記基本従来構成と相違する。そして本実施形態では、同一組に属する２個のアナログスイッチＳＷｉ，ＳＷ（ｉ＋２）の他端は互いに接続されると共に、映像信号線駆動回路３００における１つの出力端子ＴＳｊに接続されている。このようにして、液晶パネルにおける映像信号線Ｌｓは、液晶パネル５００上で１つおきに配置された２本を１組として複数組の映像信号線群にグループ化され、各映像信号線群（同一組となった２本の映像信号線Ｌｓ）は、同一組となった２個のアナログスイッチを介して映像信号線駆動回路３００における１つの出力端子ＴＳｊに接続される。これは、映像信号線駆動回路３００の出力端子ＴＳｊ（ｊ＝１，２，３，…）が映像信号線群と１対１に対応付けられており、同一組となった２個のアナログスイッチＳＷを介して１つの映像信号線群（１つおきに配置された２本の映像信号線Ｌｓであって同一組となったもの）に接続されることを意味する。
【００４３】
また本実施形態においても、同一組となった２個のアナログスイッチＳＷｉ，ＳＷ（ｉ＋２）は、切換制御信号ＧＳ（およびその論理反転信号ＧＳｂ）に応じて相反的にオン・オフするように構成されている。したがって、各組を構成する２個のアナログスイッチＳＷｉ，ＳＷ（ｉ＋２）は、切換スイッチを構成し、映像信号線駆動回路３００における各出力端子ＴＳｊを、対応する映像信号線群内の２本の映像信号線に時分割的に接続する。
【００４４】
＜１．４．２  真正ドット反転駆動の場合の駆動方法＞
次に、上記図５と共に図６を参照して、上記液晶パネル５００を備えた本実施形態に係る液晶表示装置において真正ドット反転駆動方式を採用した場合の駆動方法を説明する。
【００４５】
図６は、図５に示した上記構成の液晶パネル５００を備える液晶表示装置において真正ドット反転駆動方式を採用した場合の駆動方法を説明するためのタイミングチャートである。図６（ａ）〜（ｄ）に示すように、走査信号Ｇｋ（ｋ＝１，２，３，…）および切換制御信号ＧＳは、上記基本従来構成の場合と同様であり（図４（ａ）〜（ｄ）参照）、このような走査信号Ｇｋによる各画素形成部ＰｘにおけるＴＦＴ１０のオン・オフ動作も上記基本従来構成の場合と同様である。また、各組を構成する２個のアナログスイッチＳＷｉ，ＳＷ（ｉ＋２）は、切換制御信号ＧＳ（およびその論理反転信号ＧＳｂ）に応じて相反的にオン・オフする。いま、接続切換回路５０２において、各組を構成する２個のアナログスイッチＳＷｉ，ＳＷ（ｉ＋２）のうち先頭に近い方（添字の小さい方）に配置されたアナログスイッチＳＷｉを「Ａスイッチ」、先頭から遠い方（添字の大きい方）に配置されたアナログスイッチＳＷ（ｉ＋２）を「Ｂスイッチ」と呼ぶものとする。この場合、各水平走査期間の前半では、Ａスイッチ（図５に示した構成ではアナログスイッチＳＷ１，ＳＷ２，ＳＷ５，ＳＷ６）がオン状態、Ｂスイッチ（アナログスイッチＳＷ３，ＳＷ４，ＳＷ７，ＳＷ８）がオフ状態となり、各水平走査期間の後半では、Ａスイッチがオフ状態、Ｂスイッチがオン状態となる。したがって、映像信号線駆動回路３００の各出力端子ＴＳｊは、各水平走査期間の前半では、その出力端子ＴＳｊに対応する映像信号線群のうちＡスイッチに接続される映像信号線Ｌｓに接続され、各水平走査期間の後半では、その出力端子ＴＳｊに対応する映像信号線群のうちＢスイッチに接続される映像信号線Ｌｓに接続される。例えば出力端子ＴＳ１，ＴＳ２は、各水平走査期間の前半では、１番目および３番目の映像信号線Ｌｓにそれぞれ接続され、その結果、映像信号線駆動回路３００から出力される映像信号Ｓ１，Ｓ２は、それぞれ、１番目の映像信号線Ｌｓの映像信号ＳＬ１、２番目の映像信号線Ｌｓの映像信号ＳＬ２となる。一方、各水平走査期間の後半では、出力端子ＴＳ１，ＴＳ２は３番目および４番目の映像信号線Ｌｓにそれぞれ接続され、その結果、映像信号線駆動回路３００から出力される映像信号Ｓ１，Ｓ２は、それぞれ、３番目の映像信号線Ｌｓの映像信号ＳＬ３、４番目の映像信号線Ｌｓの映像信号ＳＬ４となる。
【００４６】
よって、例えば映像信号線駆動回路３００における出力端子ＴＳ１から出力すべき映像信号Ｓ１は、図６（ｅ）に示すような信号となり、出力端子ＴＳ２から出力すべき映像信号Ｓ２は、図６（ｆ）に示すような信号となる。このような映像信号を出力するために映像信号線駆動回路３００は、まず、画素マトリクスにおける４ｊ−３番目および４ｊ−２番目の画素列の画素形成部Ｐｘのうち走査信号ＧｋによってＴＦＴ１０がオンされる画素形成部Ｐｘに書き込むべき画素値（例えばＧ１がＨレベルのときは画素値ｄ１１，ｄ１２，ｄ１５，ｄ１６，…）を表示制御回路２００から順次入力して、水平走査期間の前半においてそれらの画素値に相当する映像信号Ｓｊ，Ｓ（ｊ＋１）を出力端子ＴＳｊ，ＴＳ（ｊ＋１）からそれぞれ出力する（ｊ＝１，３，５，…）。次に、画素マトリクスにおける４ｊ−１番目および４ｊ番目の画素列の画素形成部Ｐｘのうち走査信号ＧｋによってＴＦＴ１０がオンされる画素形成部Ｐｘに書き込むべき画素値（例えばＧ１がＨレベルのときは画素値ｄ１３，ｄ１４，ｄ１７，ｄ１８，…）を表示制御回路２００から順次入力して、水平走査期間の後半においてそれらの画素値に相当する映像信号Ｓｊ，Ｓ（ｊ＋１）を出力端子ＴＳｊ，ＴＳ（ｊ＋１）からそれぞれ出力する（ｊ＝１，３，５，…）。そして映像信号線駆動回路３００は、映像信号Ｓ１，Ｓ２，Ｓ３，…の電圧極性が図５に示すような極性パターンの真正ドット反転駆動に対応するような電圧極性となるように上記のような出力を交互に繰り返し行う。このようにして液晶表示装置の駆動が行われると、図６（ｅ）（ｆ）からわかるように、各映像信号線Ｌｓを介して各画素形成部Ｐｘに真正ドット反転駆動に対応した画素値を書き込むための映像信号Ｓ１，Ｓ２，Ｓ３，…の電圧極性は、１水平期間毎に切り替わることになる。
【００４７】
したがって、本実施形態では、映像信号線駆動回路３００から出力される映像信号Ｓｊの電圧極性の切り替わり周期は、基本従来構成の場合と同様である。このため、本実施形態は、真正ドット反転駆動方式を採用した場合には、式（１）より、基本従来構成に比べ消費電力の低減に関しては特に有利とは言えない。
【００４８】
しかし、後述の第１の変形例について説明するように、本実施形態における液晶パネル５００の構成によれば、基本従来構成とは異なり、同一組に属する映像信号線の接続切換の順序を変更しても、映像信号Ｓｊの電圧極性の切り換え周期は変化しない。これにより、例えば１水平走査期間毎に同一組における映像信号線の接続切換の順序を変えることにより、消費電力の増大を招くことなく、表示画像における輝度ムラを抑えることが可能となる。
【００４９】
以下では、本実施形態において交流化駆動の方式として他の方式を採用した場合での消費電力を検討するために、接続切換回路および極性パターンを端的に示す概念図を導入し、この概念図とタイミングチャートとを、上記基本従来構成の場合と対比して示すものとする。すなわち、例えば真正ドット反転駆動方式を採用した場合において本実施形態における消費電力を検討する際には、図７（ａ）（ｂ）に示すように、概念図とタイミングチャートとを上記基本従来構成の場合と対比して示す。図７（ａ）は、図３に示した構成および極性パターンを示す概念図ならびにその概念図に対応するタイミングチャートであり、図７（ｂ）は、図５に示した構成および極性パターンを示す概念図ならびにその概念図に対応するタイミングチャートである。なお、これらの概念図では、説明の便宜上、画素マトリクスを４行×８列の構成としている（特に断らない限り以下においても同様）。
【００５０】
＜１．４．３  ２ラインドット反転駆動の場合の駆動方法＞
次に、図８を参照して、上記液晶パネル５００を備えた液晶表示装置において２ラインドット反転駆動方式を採用した場合の駆動方法を、基本従来構成における駆動方法と対比しつつ説明する。ここで、「２ラインドット反転駆動方式」とは、図８（ａ）（ｂ）における概念図に示すように、画素を形成する液晶層への印加電圧の正負極性を２走査信号線毎かつ１映像信号線毎に反転させる（１フレーム毎にも反転させる）交流化駆動方式をいう。
【００５１】
図８（ａ）は、上記基本従来構成および２ラインドット反転駆動方式の極性パターンを示す概念図、ならびに、その概念図に対応する走査信号Ｇ１〜Ｇ３、切換制御信号ＧＳ、映像信号Ｓ１，Ｓ２、切換制御信号の別例ＧＳ’、および映像信号Ｓ１’の別例を示すタイミングチャートである。図８（ａ）のタイミングチャートに示すように、走査信号Ｇｋ（ｋ＝１，２，３，…）および切換制御信号ＧＳは、真正ドット反転駆動方式が採用された場合と同様である（図４（ａ）〜（ｄ）、図７（ａ）参照）。したがって、各水平走査期間の前半では、映像信号線駆動回路３００から出力される映像信号Ｓ１，Ｓ２は、それぞれ、１番目の映像信号線、２番目の映像信号線に印加され、これにより、画素マトリクスの１列目、３列目の画素形成部に画素値がそれぞれ書き込まれる。一方、各水平走査期間の後半では、映像信号線駆動回路３００から出力される映像信号Ｓ１，Ｓ２は、それぞれ、２番目の映像信号線、４番目の映像信号線にそれぞれ印加され、これにより、画素マトリクスの１列目、３列目の画素形成部に画素値がそれぞれ書き込まれる。しかし、２ラインドット反転駆動方式が採用されているため、映像信号Ｓ１，Ｓ２の電圧極性の切り替わり周期は、真正ドット反転駆動方式が採用された場合と異なり、ほぼ１／２水平走査期間となる。このため、式（１）より、真正ドット反転駆動方式の場合に比べて、消費電力の点からは不利となる。
【００５２】
ただし、切換制御信号としてＧＳに代えて図８（ａ）に示すＧＳ’を使用して、同一組の２本の映像信号線が映像信号線駆動回路３００の出力端子ＴＳｊに接続される順序を変更すれば、映像信号線駆動回路３００から出力される映像信号の電圧極性の切り替え周期をほぼ１水平走査期間とすることができる。すなわち、この場合、映像信号線駆動回路３００の出力端子ＴＳ１からの映像信号は、図８（ａ）にＳ１’として示された信号となる。しかし、基本従来構成において２ラインドット反転駆動方式を採用した場合には、映像信号線駆動回路３００から出力される映像信号の電圧極性の切り替え周期を１水平走査期間よりも長くすることはできない。
【００５３】
図８（ｂ）は、本実施形態における液晶パネル構成および２ラインドット反転駆動方式の極性パターンを示す概念図、ならびに、その概念図に対応する走査信号Ｇ１〜Ｇ３、切換制御信号ＧＳ、および映像信号Ｓ１，Ｓ２を示すタイミングチャートである。図８（ｂ）のタイミングチャートに示すように、走査信号Ｇｋ（ｋ＝１，２，３，…）および切換制御信号ＧＳは、真正ドット反転駆動方式が採用された場合と同様である（図６（ａ）〜（ｄ）、図７（ｂ）参照）。したがって、各水平走査期間の前半では、映像信号線駆動回路３００から出力される映像信号は、Ａスイッチ（同一組の２個のアナログスイッチのうち先頭に近い方）に接続される映像信号線に印加される。例えば、映像信号線駆動回路３００から出力される映像信号Ｓ１，Ｓ２は、１番目の映像信号線、２番目の映像信号線にそれぞれ印加され、これにより、画素マトリクスの１列目、２列目の画素形成部に画素値がそれぞれ書き込まれる。一方、各水平走査期間の後半では、映像信号線駆動回路３００から出力される映像信号は、Ｂスイッチ（同一組の２個のアナログスイッチのうち先頭から遠い方）に接続される映像信号線に印加される。例えば、映像信号線駆動回路３００から出力される映像信号Ｓ１，Ｓ２は、３番目の映像信号線、４番目の映像信号線にそれぞれ印加され、これにより、画素マトリクスの３列目、４列目の画素形成部に画素値がそれぞれ書き込まれる。ここで、アナログスイッチＳＷ１，ＳＷ２，ＳＷ３，…は、１本おきに選ばれた２本の映像信号線Ｌｓに接続されるアナログスイッチを１組としてグループ化されているので、２ラインドット反転駆動方式の場合、同一組内の２本の映像信号線に印加すべき電圧の極性は同一であって２水平走査期間は変化しない。このため、図８（ｂ）のタイミングチャートに示すように、映像信号Ｓ１，Ｓ２の電圧極性の切り替わり周期は、２水平走査期間となる。その結果、式（１）より、従来に比べて（図８（ａ））、映像信号線の駆動のための消費電力が大きく削減される（単純計算では１／２またはそれ以下となる）。
【００５４】
＜１．４．４  ソース反転駆動の場合の駆動方法＞
次に、図９を参照して、上記液晶パネル５００を備えた本実施形態の液晶表示装置においてソース反転駆動方式を採用した場合の駆動方法を、基本従来構成における駆動方法と対比しつつ説明する。ここで、「ソース反転駆動方式」とは、図９（ａ）（ｂ）における概念図に示すように、画素を形成する液晶層への印加電圧の正負極性を走査信号線によっては変化させずに１映像信号線毎に反転させる（１フレーム毎にも反転させる）交流化駆動方式をいう。
【００５５】
図９（ａ）は、上記基本従来構成およびソース反転駆動方式の極性パターンを示す概念図、ならびに、その概念図に対応する走査信号Ｇ１〜Ｇ３、切換制御信号ＧＳ、映像信号Ｓ１，Ｓ２、切換制御信号の別例ＧＳ’、および映像信号Ｓ１’の別例を示すタイミングチャートである。図９（ａ）のタイミングチャートに示すように、走査信号Ｇｋ（ｋ＝１，２，３，…）および切換制御信号ＧＳは、真正ドット反転駆動方式の場合と同様であるが（図４（ａ）〜（ｄ）、図７（ａ）参照）、ソース反転駆動方式が採用されているため、映像信号Ｓ１，Ｓ２の電圧極性の切り替わり周期は、真正ドット反転駆動方式の場合と異なり、１／２水平走査期間となる。ただし、この場合も、切換制御信号としてＧＳに代えて図９（ａ）に示すＧＳ’を使用して、同一組の２本の映像信号線の接続切換の順序を変更すれば、映像信号線駆動回路３００の出力端子ＴＳ１からの映像信号は、図９（ａ）にＳ１’として示された信号となる。これにより、映像信号線駆動回路３００から出力される映像信号の電圧極性の切り替え周期をほぼ１水平走査期間とすることができる。しかし、基本従来構成においてソース反転駆動方式を採用した場合には、映像信号線駆動回路３００から出力される映像信号の電圧極性の切り替え周期を１水平走査期間よりも長くすることはできない。
【００５６】
図９（ｂ）は、本実施形態における液晶パネル構成およびソース反転駆動方式の極性パターンを示す概念図、ならびに、その概念図に対応する走査信号Ｇ１〜Ｇ３、切換制御信号ＧＳ、および映像信号Ｓ１，Ｓ２を示すタイミングチャートである。図９（ｂ）のタイミングチャートに示すように、走査信号Ｇｋ（ｋ＝１，２，３，…）および切換制御信号ＧＳは、真正ドット反転駆動方式が採用された場合と同様である（図６（ａ）〜（ｄ）、図７（ｂ）参照）。したがって、映像信号線駆動回路３００から出力される映像信号は、各水平走査期間の前半では、同一組の２個のアナログスイッチのうち先頭に近い方のスイッチであるＡスイッチに接続される映像信号線に印加され、各水平走査期間の後半では、同一組の２個のアナログスイッチのうち先頭から遠い方のスイッチであるＢスイッチに接続される映像信号線に印加される。ここで、アナログスイッチＳＷ１，ＳＷ２，ＳＷ３，…は、１本おきに選ばれた２本の映像信号線Ｌｓに接続されるアナログスイッチを１組としてグループ化されているので、ソース反転駆動方式の場合、同一組内の２本の映像信号線に印加すべき電圧の極性は同一であって１フレーム期間（１垂直走査期間）は変化しない。例えば、映像信号線駆動回路３００から出力される映像信号Ｓ１，Ｓ２は、図９（ｂ）のタイミングチャートに示すようになる。このようにして、本実施形態においてソース反転駆動方式が採用された場合には、映像信号線駆動回路３００から出力される映像信号Ｓｊの切り替え周期は１フレーム期間（１垂直走査期間）となり、従来に比べて（図９（ａ））、映像信号線の駆動のための消費電力が大幅に削減される。
【００５７】
このようにして本実施形態によれば、２本の映像信号線Ｌｓを１組としてグループ化して各組内の映像信号線Ｌｓのうち映像信号線駆動回路３００の出力端子に接続すべき映像信号線を順次切り換えるという映像信号線の時分割駆動による利点を確保しつつ、消費電力の低減を図ることができる。
【００５８】
＜２．  第１の変形例＞
上記実施形態では、図１０（ａ）のタイミングチャートに示すように切換制御信号ＧＳは、各水平走査期間の前半でＨレベルとなり、後半でＬレベルとなる。このため、映像信号線駆動回路３００の各出力端子ＴＳｊは、各水平走査期間の前半にはＡスイッチに接続される映像信号線Ｌｓに常に接続され、各水平走査期間の後半にはＢスイッチに接続される映像信号線Ｌｓに常に接続される。したがって、各水平走査期間において、同一組に属する２本の映像信号線Ｌｓがその組に対応する映像信号線駆動回路３００の出力端子に接続される順序、すなわち同一組における映像信号線Ｌｓの接続切り換えの順序は固定されている。
【００５９】
これに対し、本変形例では、図１０（ｂ）のタイミングチャートに示すような切換制御信号ＧＳを使用することにより、同一組における映像信号線Ｌｓの接続切り換えの順序が１水平走査期間毎に変更されるようになっている。すなわち、或る水平走査期間では、その前半において、Ａスイッチに接続される映像信号線Ｌｓが映像信号線駆動回路３００の出力端子に接続され、その後半において、Ｂスイッチに接続される映像信号線Ｌｓが映像信号線駆動回路３００の出力端子に接続されるが、次の水平走査期間では、その前半において、Ｂスイッチに接続される映像信号線Ｌｓが映像信号線駆動回路３００の出力端子に接続され、その後半において、Ａスイッチに接続される映像信号線Ｌｓが映像信号線駆動回路３００の出力端子に接続される。図１０（ｂ）には、このように同一組の映像信号線Ｌｓについての接続切り換えの順序を１水平走査期間毎に変更する場合の映像信号線駆動回路３００からの映像信号Ｓ１，Ｓ２のタイミングチャートが示されている。このタイミングチャートからわかるように、本変形例においても、映像信号Ｓ１，Ｓ２の電圧極性の切り替わり周期は、２水平走査期間であり、消費電力の点では上記実施形態に比べて特に不利にはならない。
【００６０】
ところで、上記実施形態のように、同一組における映像信号線Ｌｓが映像信号線駆動回路３００の出力端子ＴＳｊに接続される順序（接続切り換えの順序）が固定されている場合、各画素形成部Ｐｘの画素電極Ｅｐとそれに隣接する映像信号線Ｌｓとの間の寄生容量等の影響により、表示画像において輝度ムラが生じ、画質の劣化を招くことがある。すなわち、映像信号線駆動回路３００からの映像信号Ｓｊの電圧が同一であっても、その電圧が映像信号線Ｌｓに水平走査期間の前半に印加されるか後半に印加されるかにより、表示輝度に識別可能な程度の相違が生じることがあり、そのような場合には、上記接続切り換えの順序が固定されていると表示画像に輝度ムラが生じる。これに対し、本変形例によれば、同一組における映像信号線Ｌｓの接続切り換えの順序が１水平走査期間毎に変更されるので、上記の寄生容量等の影響による表示画像における輝度ムラが分散され、輝度ムラを目立たなくすることができる。
【００６１】
＜３．  第２の変形例＞
上記実施形態では、接続切換回路５０２に配置されたアナログスイッチの中から１個おきに選ばれた２個のアナログスイッチＳＷｉ，ＳＷ（ｉ＋２）が同一組となるようにグループ化されているが（ｉ＝１，２，５，６，…）、同一組とすべきアナログスイッチは１個おきのものでなくてもよく、奇数個おきのアナログスイッチを１組としてグループ化してもよい。例えば図１１に示すように、接続切換回路５０３に配置されたアナログスイッチの中から３個おきに選ばれた２個のアナログスイッチＳＷｉ，ＳＷ（ｉ＋４）が同一組となるようにグループ化されていてもよい（ｉ＝１，２，３，４，９，１０，…）。この場合、液晶パネルにおける映像信号線Ｌｓの中から３本おきに選ばれた２本の映像信号線Ｌｓが１組としてグループ化され、各組を構成する２本の映像信号線Ｌｓがアナログスイッチを介して、映像信号線駆動回路３００のいずれかの出力端子ＴＳｊに時分割的に接続される。そして、画素を形成する液晶層への印加電圧の正負極性を１映像信号線毎に反転させる交流化駆動を行う場合、同一組における映像信号線Ｌｓの電圧極性は同一であって少なくとも１水平期間は変化しないため、消費電力の削減等につき上記実施形態と同様の効果が得られる。例えば図１１に示すように２ラインドット反転駆動方式が採用された場合には、同一組における映像信号線Ｌｓの電圧極性は同一であって２水平期間は変化しない。そして図１２（ａ）〜（ｃ）に示すような走査信号Ｇｋ（ｋ＝１，２，３，…）、図１２（ｄ）に示すような切換制御信号ＧＳを使用することにより、映像信号線駆動回路３００から出力すべき映像信号Ｓ１，Ｓ２は、図１２（ｅ）（ｆ）にそれぞれ示すような信号となる。このタイミングチャートからわかるように、本変形例によれば、映像信号Ｓ１，Ｓ２の電圧極性の切り替わり周期は、２水平走査期間であり、上記実施形態において２ラインドット反転駆動方式を採用した場合と同様の効果が得られる。
【００６２】
＜４．  第３の変形例＞
上記実施形態では、接続切換回路５０２に配置されたアナログスイッチの中から１個おきに選ばれた２個のアナログスイッチＳＷｉ，ＳＷ（ｉ＋２）が同一組となるようにグループ化されているが（ｉ＝１，２，５，６，…）、同一組とすべきアナログスイッチは２個でなくてもよく、１個おきに（より一般的には奇数個おきに）選ばれた３個以上のアナログスイッチを１組としてグループ化してもよい。例えば図１３に示すように、接続切換回路５０４に配置されたアナログスイッチの中から１個おきに選ばれた３個のアナログスイッチＳＷｉ，ＳＷ（ｉ＋２），ＳＷ（ｉ＋４）が同一組となるようにグループ化されていてもよい（ｉ＝１，２，７，８，…）。この場合、液晶パネルにおける映像信号線Ｌｓの中から１本おきに選ばれた３本の映像信号線Ｌｓが１組としてグループ化され、各組を構成する３本の映像信号線Ｌｓがアナログスイッチを介して、映像信号線駆動回路３００のいずれかの出力端子ＴＳｊに時分割的に接続される。そして、画素を形成する液晶層への印加電圧の正負極性を１映像信号線毎に反転させる交流化駆動を行う場合、同一組における映像信号線Ｌｓの電圧極性は同一であって少なくとも１水平期間は変化しないため、消費電力の削減等につき上記実施形態と同様の効果が得られる。例えば図１３に示すように２ラインドット反転駆動方式が採用された場合には、同一組における映像信号線Ｌｓの電圧極性は同一であって２水平期間は変化しない。そして図１４（ａ）〜（ｃ）に示すような走査信号Ｇｋ（ｋ＝１，２，３，…）、図１４（ｄ）〜（ｆ）に示すような切換制御信号ＧＳａ，ＧＳｂ，ＧＳｃを使用することにより、映像信号線駆動回路３００から出力すべき映像信号Ｓ１，Ｓ２は、図１４（ｇ）（ｈ）に示すような信号となる。ここで、各組を構成する３個のアナログスイッチＳＷｉ，ＳＷ（ｉ＋２），ＳＷ（ｉ＋４）のうち先頭に近い方（添字の小さい方）から順に「Ａスイッチ」、「Ｂスイッチ」、「Ｃスイッチ」と呼ぶものとすると、Ａスイッチは切換制御信号ＧＳａによってオン・オフされ、Ｂスイッチは切換制御信号ＧＳｂによってオン・オフされ、Ｃスイッチは切換制御信号ＧＳｃによってオン・オフされる（いずれのスイッチもそれに対する切換制御信号がＨレベルのときオンし、Ｌレベルのときオフする）。
【００６３】
図１４（ｇ）（ｈ）のタイミングチャートからわかるように、本変形例によれば、時分割数が２から３へと増え、かつ、消費電力の低減につき上記実施形態と同様の効果が得られる。すなわち、本変形例によれば、映像信号Ｓ１，Ｓ２の電圧極性の切り替わり周期は、２ラインドット反転駆動方式を採用した場合、２水平走査期間であり、消費電力の低減につき上記実施形態と同様になる。
【００６４】
＜５．  第４の変形例＞
上記第３の変形例では、図１４（ｄ）〜（ｆ）に示す切換制御信号ＧＳａ，ＧＳｂ，ＧＳｃのタイミングチャートより、各水平走査期間において同一組内のアナログスイッチがオンする順序はＡスイッチ→Ｂスイッチ→Ｃスイッチであって固定されているが、この順序を例えば１水平走査期間毎に変更してもよい。すなわち、同一組における３本の映像信号線Ｌｓを映像信号線駆動回路３００における出力端子ＴＳｊに接続する順序を例えば１水平走査期間毎に変更してもよい。
【００６５】
図１５（ａ）は、同一組内のアナログスイッチがオンする順序を固定とした第３の変形例における構成および極性パターンを示す概念図、ならびにその概念図に対応するタイミングチャートであり、図１５（ｂ）は、同一組内のアナログスイッチがオンする順序を１水平走査期間毎に変更する本変形例の構成および極性パターンを示す概念図、ならびにその概念図に対応するタイミングチャートである。本変形例では、図１５（ｂ）に示す切換制御信号ＧＳａ，ＧＳｂ，ＧＳｃにより、同一組内のアナログスイッチがオンする順序は、或る水平走査期間においてＡスイッチ→Ｂスイッチ→Ｃスイッチとなるが、次の水平走査期間においてはＣスイッチ→Ｂスイッチ→Ａスイッチとなる。図１５（ｂ）には、このように同一組の映像信号線Ｌｓについての接続切り換えの順序を１水平走査期間毎に変更する場合の、映像信号線駆動回路３００からの映像信号Ｓ１，Ｓ２のタイミングチャートが示されている。このタイミングチャートからわかるように、本変形例のように同一組における映像信号線の接続切換の順序を変更しても、例えば２ラインドット反転駆動方式を採用した場合、映像信号Ｓ１，Ｓ２の電圧極性の切り替わり周期は、２水平走査期間であり、図１５（ａ）に示すように同一組における映像信号線の接続切換の順序が固定されている場合に比べて、消費電力の点では特に不利にはならない。一方、本変形例によれば、同一組における映像信号線Ｌｓの接続切り換えの順序が１水平走査期間毎に変更されるので、各画素形成部Ｐｘの画素電極Ｅｐとそれに隣接する映像信号線Ｌｓとの間の寄生容量等の影響による表示画像における輝度ムラが分散され、輝度ムラが目立たなくなるという効果（輝度ムラの抑制効果）が得られる。
【００６６】
＜６．その他の変形例＞
上記実施形態および変形例において、接続切換回路５０２〜５０４は、液晶パネル基板に形成されているが、これに限定されるものではなく、例えば映像信号線駆動回路３００を実現するＩＣチップ内に含まれていてもよい。
【００６７】
【発明の効果】
第１の発明によれば、奇数本おきに選ばれた映像信号線が１組としてグループ化されるので、１映像信号線毎に駆動信号の電圧極性が反転される交流化駆動が行われる場合であっても、映像信号線駆動回路から出力すべき映像信号の電圧極性の切替周期を短くすることなく、映像信号線を時分割で駆動することができる。これにより、消費電力を増大させることなく、映像信号線を時分割で駆動することができ、映像信号線を時分割で駆動する従来技術に比べ、消費電力を低減することが可能となる。
【００６８】
第２の発明によれば、１映像信号線毎に駆動信号の電圧が反転される交流化駆動が行われる液晶表示装置において、映像信号線駆動回路から出力すべき映像信号の電圧極性の切替周期を短くすることなく、映像信号線を時分割で駆動することができるので、映像信号線を時分割で駆動する従来技術に比べ、消費電力を低減することが可能となる。
【００６９】
第３の発明によれば、映像信号線駆動回路の各出力端子に接続される映像信号線の切り換え順序の変更によって、表示画像における輝度ムラを抑制することができ、また、奇数本おきに選ばれた映像信号線が１組としてグループ化されるので、各出力端子に接続される映像信号線の切り換え順序が変更されても、映像信号線駆動回路から出力すべき映像信号の電圧極性の切替周期が短くなることはない。したがって、消費電力の増大を招くことなく、表示画像における輝度ムラを抑制することができる。
【００７０】
第４の発明によれば、奇数本おきに選ばれた映像信号線が１組としてグループ化され、しかも、２水平走査期間（１本の走査信号線の選択期間の２倍の期間）以上は当該電圧極性は変化しない。このため、１映像信号線毎に駆動信号の電圧が反転される交流化駆動が行われる場合において、映像信号線を時分割で駆動する従来技術に比べ、映像信号の駆動のための消費電力を大幅に低減することができる。
【００７１】
第５の発明によれば、第１の発明と同様の効果を奏する。
【図面の簡単な説明】
【図１】本発明の一実施形態に係る液晶表示装置の構成を示すブロック図である。
【図２】上記実施形態における液晶パネルの基本となる従来構成（基本従来構成）を説明するための模式図（ａ）ならびに等価回路図（ｂ）および（ｃ）である。
【図３】基本従来構成の液晶パネルを備える液晶表示装置において真正ドット反転駆動方式を採用した場合の極性パターンを示す模式図である。
【図４】基本従来構成の液晶パネルを備える液晶表示装置において真正ドット反転駆動方式を採用した場合の駆動方法を説明するためのタイミングチャートである。
【図５】上記実施形態に係る液晶表示装置における液晶パネルの構成および真正ドット反転駆動方式を採用した場合の極性パターンを示す模式図である。
【図６】上記実施形態に係る液晶表示装置において真正ドット反転駆動方式を採用した場合の駆動方法を説明するためのタイミングチャートである。
【図７】上記実施形態において１ラインドット反転駆動方式を採用した場合の利点を基本従来構成の場合と比較しつつ説明するための概念図およびタイミングチャートである。
【図８】上記実施形態において２ラインドット反転駆動方式を採用した場合の駆動方法を基本従来構成の場合と比較しつつ説明するための概念図およびタイミングチャートである。
【図９】上記実施形態においてソース反転駆動方式を採用した場合の駆動方法を基本従来構成の場合と比較しつつ説明するための概念図およびタイミングチャートである。
【図１０】第１の変形例を上記実施形態と比較しつつ説明するための概念図およびタイミングチャートである。
【図１１】第２の変形例における液晶パネルの構成を示す模式図である。
【図１２】第２の変形例に係る液晶表示装置の駆動方法を説明するためのタイミングチャートである。
【図１３】第３の変形例における液晶パネルの構成を示す模式図である。
【図１４】第３の変形例に係る液晶表示装置の駆動方法を説明するためのタイミングチャートである。
【図１５】第４の変形例を第３の変形例と比較しつつ説明するための概念図およびタイミングチャートである。
【符号の説明】
１０      …ＴＦＴ（薄膜トランジスタ）
２５      …信号線切換制御回路
２００    …表示制御回路
３００    …映像信号線駆動回路
４００    …走査信号線駆動回路
５００    …液晶パネル
５０１〜５０４  …接続切換回路
ＣＫ      …クロック信号
ＨＳＹ    …水平同期信号
ＶＳＹ    …垂直同期信号
Ｄａ      …デジタル画像信号
Ｇｋ      …走査信号（ｋ＝１，２，３，…）
Ｓｊ      …映像信号（ｊ＝１，２，３，…）
Ｌｓ      …映像信号線（列電極）
Ｌｇ      …走査信号線（行電極）
Ｐｘ      …画素形成部（画素）
Ｃｐ      …画素容量
Ｅｐ      …画素電極
Ｅｃ      …対向電極
ＳＷｉ    …アナログスイッチ（ｉ＝１，２，３，…）
【図１】
2004264476.tif 000003
【図２】
2004264476.tif 000004
【図３】
2004264476.tif 000005
【図４】
2004264476.tif 000006
【図５】
2004264476.tif 000007
【図６】
2004264476.tif 000008
【図７】
2004264476.tif 000009
【図８】
2004264476.tif 000010
【図９】
2004264476.tif 000011
【図１０】
2004264476.tif 000012
【図１１】
2004264476.tif 000013
【図１２】
2004264476.tif 000014
【図１３】
2004264476.tif 000015
【図１４】
2004264476.tif 000016
【図１５】
2004264476.tif 000017